(57)【特許請求の範囲】
【請求項１】
テレビ放送を受信して録画する電子機器であって、
少なくとも録画の開始時刻や録画するチャンネルを含んだ録画予約情報の入力を受け付ける入力受付手段と、
前記入力受付手段により開始時刻の入力を受け付けたとき、前記入力受付手段によりチャンネルの入力を受け付けているか否かを判断する入力判断手段と、
前記入力判断手段によりチャンネルの入力を受け付けているものと判断された場合、前記入力受付手段により受け付けた開始時刻が現在時刻より以前であるか否かを判断する時刻判断手段と、
前記時刻判断手段により開始時刻が現在時刻よりも以前であると判断された場合、前記入力受付手段により受け付けたチャンネルに基づいてバックグラウンドで録画処理を開始する録画開始手段と、
を備えたことを特徴とする電子機器。
【請求項２】
前記入力受付手段が入力の受け付けを開始したのに基づいて、所定時間の周期タイマーを起動し、所定時間の経過を通知する通知手段を備え、
前記入力判断手段は、前記時刻判断手段により開始時刻が現在時刻よりも以前でないと判断された場合、前記通知手段により所定時間の経過が通知される毎に、前記入力受付手段によりチャンネルの入力を受け付けたか否かを判断することを特徴とする請求項１記載の電子機器。
【請求項３】
テレビ放送を受信して録画する電子機器であって、
少なくとも録画の開始時刻や録画するチャンネルを含んだ録画予約情報の入力を受け付ける入力受付手段と、
前記入力受付手段によりチャンネルの入力を受け付けたとき、前記入力受付手段により開始時刻の入力を受け付けているか否かを判断する入力判断手段と、
前記入力判断手段により開始時刻の入力を受け付けているものと判断された場合、前記入力受付手段により受け付けた開始時刻が現在時刻より以前であるか否かを判断する時刻判断手段と、
前記時刻判断手段により開始時刻が現在時刻よりも以前であると判断された場合、前記入力受付手段により受け付けたチャンネルに基づいてバックグラウンドで録画処理を開始する録画開始手段と、
を備えたことを特徴とする電子機器。
【請求項４】
前記入力受付手段が入力の受け付けを開始したのに基づいて、所定時間の周期タイマーを起動し、所定時間の経過を通知する通知手段を備え、
前記入力判断手段は、前記時刻判断手段により開始時刻が現在時刻よりも以前でないと判断された場合、前記通知手段により所定時間の経過が通知される毎に、前記入力受付手段により開始時刻の入力を受け付けたか否かを判断することを特徴とする請求項３記載の電子機器。
【請求項５】
テレビ放送を受信して録画する電子機器であって、
少なくとも録画の開始時刻や録画するチャンネルを含んだ録画予約情報の入力を受け付ける入力受付手段と、
前記入力受付手段が入力の受け付けを開始したのに基づいて、所定時間の周期タイマーを起動し、所定時間の経過を通知する通知手段と、
前記通知手段により所定時間の経過が通知される毎に、入力受付手段により開始時刻及びチャンネルの双方の入力を受け付けたか否かを判断する入力判断手段と、
前記入力判断手段により開始時刻及びチャンネルの双方の入力を受け付けたものと判断された場合、前記入力受付手段により受け付けた開始時刻が現在時刻より以前であるか否かを判断する時刻判断手段と、
前記時刻判断手段により開始時刻が現在時刻よりも以前であると判断された場合、前記入力受付手段により受け付けたチャンネルに基づいてバックグラウンドで録画処理を開始する録画開始手段と、
を備えたことを特徴とする電子機器。
【発明の詳細な説明】
【技術分野】
【０００１】
本発明は、テレビ放送を受信して視聴できる電子機器に係り、特に、受信したテレビ放送を予約録画できる電子機器に関する。
【背景技術】
【０００２】
近年、携帯電話機等の電子機器の多機能化に伴い、携帯電話機に地上波デジタル放送等のテレビ放送を受信して視聴するテレビ視聴機能が搭載されるようになってきた。さらに、本体メモリあるいは外部メモリへの番組録画機能、及びタイマーにより起動し自動的に録画を開始する予約録画機能を備えた携帯電話機も開発されている。
【０００３】
例えば特許文献１には、予約設定中に予約可否判定を行い、適切な予約設定を行えるようにした番組予約システムが記載されている。この番組予約システムは、記憶部の残記録可能容量や予約する番組の記録時間等から予約可否判定を行い、予約可能であればこの番組の予約設定を行うものである。
【特許文献１】特開２００７−１２９６５９号公報
【発明の開示】
【発明が解決しようとする課題】
【０００４】
従来の携帯電話機では、既に放送中のテレビ番組、あるいはまもなく放送開始となるテレビ番組について予約録画を手動にて設定する場合、録画の開始時刻が現在時刻よりもある程度先（未来）でないと予約ができないようになっている。よって、予約録画を即座に開始できずに録画したいシーンを逃してしまうという問題があった。また、録画の開始時刻と終了時刻の双方が設定されないと録画の予約が完了しないため、予約の設定に手間取ってしまうとその間の録画したいシーンを逃してしまうという問題もあった。
【０００５】
一方、予約録画を行わずに、ユーザが直接、録画を開始するための操作キーを押下することにより録画を開始させたり、録画を停止させるための操作キーを押下することにより録画を停止させたりする方法を用いることも可能ではあるが、この場合、録画を停止させるための操作キーが押下されない限りは録画が停止しないため、録画の終了時刻にユーザが録画を停止させるための操作キーを押下する必要が生じてしまう。
【０００６】
本発明は、上記課題を鑑みてなされてものであり、既に放送中のテレビ番組、あるいはまもなく放送開始となるテレビ番組について予約録画を行う際、簡単な操作で瞬時に録画を開始することができる電子機器を提供することを目的とする。
【課題を解決するための手段】
【０００７】
上記課題を解決するために、本発明に係る電子機器は、テレビ放送を受信して録画する電子機器であって、少なくとも録画の開始時刻や録画するチャンネルを含んだ録画予約情報の入力を受け付ける入力受付手段と、前記入力受付手段により開始時刻の入力を受け付けたとき、前記入力受付手段によりチャンネルの入力を受け付けているか否かを判断する入力判断手段と、前記入力判断手段によりチャンネルの入力を受け付けているものと判断された場合、前記入力受付手段により受け付けた開始時刻が現在時刻より以前であるか否かを判断する時刻判断手段と、前記時刻判断手段により開始時刻が現在時刻よりも以前であると判断された場合、前記入力受付手段により受け付けたチャンネルに基づいてバックグラウンドで録画処理を開始する録画開始手段と、を備えたことを特徴とする。
【発明の効果】
【０００８】
本発明に係る電子機器によると、既に放送中のテレビ番組、あるいはまもなく放送開始となるテレビ番組について予約録画を行う際、予約設定完了前であっても、予約録画開始にあたって最低限必要な情報が揃った時点で録画をバックグラウンドで開始しておくことにより、簡単な操作で瞬時に録画を開始することが可能となる。
【発明を実施するための最良の形態】
【０００９】
本発明に係る電子機器の実施形態について、添付図面を参照しながら説明する。本発明に係る電子機器として、複数の筐体が開閉自在に結合されてなるクラムシェル型の携帯電話機１を例にあげて説明する。図１は、携帯電話機１の開いた状態を示す斜視図である。
【００１０】
携帯電話機１は、図１に示すように、主に、矩形の板状の上筐体１０と、この上筐体１０とほぼ同形状をした下筐体１１とにより構成されていて、これらの上筐体１０及び下筐体１１は、閉じた状態において相互に一面を覆うように積層されている。上筐体１０及び下筐体１１は、ヒンジ部１２を挟むようにヒンジ結合されていて、上筐体１０は下筐体１１に対して、ヒンジ部１２を軸にして、図１のＸ方向に所定角度だけ回転自在なように形成されている。携帯電話機１は、上筐体１０を下筐体１１に対して回転させることにより、閉じた状態から開いた状態に、あるいは開いた状態から閉じた状態に変形する。
【００１１】
上筐体１０の内面（下筐体１１に対面する側の面）には、文字や画像等の情報を含んだ表示画面を表示するための液晶ディスプレイ１３、音声を出力するためのスピーカ１４が設けられている。これらの液晶ディスプレイ１３やスピーカ１４は、携帯電話機１が閉じた状態のときには、下筐体１１により覆われていて外部に露出していないが、上筐体１０を下筐体１１に対して回転させて開いた状態に変形させたときには、外部に露出される。
【００１２】
下筐体１１の内面（上筐体１０に対面する側の面）には、例えば、カーソルや表示画面を上下左右に移動させるための十字キーや、項目を選択するための選択キーや、数字を入力するための数字キー、発信処理を行うための発信キー等の操作キー１５が設けられている。また下筐体１１には、音声を集音するためのマイクロフォン１６が設けられている。これらの操作キー１５やマイクロフォン１６は、携帯電話機１が閉じた状態のときには、上筐体１０により覆われていて外部に露出していないが、上筐体１０を下筐体１１に対して回転させて開いた状態に変形させたときには、外部に露出される。
【００１３】
図２は、本発明に係る携帯電話機１の機能ブロック図である。携帯電話機１は、図２に示すように、主制御部２０、電源回路部２１、表示制御部２２、記憶部２３、外部メモリ接続部２４、音声制御部２５、通信制御部２６、地デジ受信部２７、映像再生制御部２８、及びタイマー部２９を備えていて、これらはバスＢによって相互に通信可能に接続されている。
【００１４】
主制御部２０は、様々なデータ処理や演算を行うＣＰＵ（Ｃｅｎｔｒａｌ  Ｐｒｏｃｅｓｓｉｎｇ  Ｕｎｉｔ）を具備し、携帯電話機１の総括的な制御を行うとともに、様々な演算処理や制御処理等を行う。また主制御部２０は、操作キー１５に対する入力インタフェースを備え、操作キー１５を介した入力に基づいて様々な処理を行う。さらに主制御部２０は、例えばＲＴＣ（Ｒｅａｌ  Ｔｉｍｅ  Ｃｌｏｃｋ）回路を用いて計時する内蔵時計を備えていて、常時現在時刻を計時している。
【００１５】
電源回路部２１は、ユーザによる操作キー１５を介した入力に基づいて電源のオン／オフ状態を切り替え、電源がオン状態の場合には電力供給源（バッテリ等）から各部に対して電力を供給して、携帯電話機１を動作可能にする。表示制御部２２は、液晶ディスプレイ１３の表示インタフェースを備え、主制御部２０の制御に基づいて、文書や静止画像、動画像等の表示情報を液晶ディスプレイ１３に表示する。
【００１６】
記憶部２３は、主制御部２０が処理を行う際に使用するデータを一時的に記憶するＲＡＭ（Ｒａｎｄｏｍ  Ａｃｃｅｓｓ  Ｍｅｍｏｒｙ）、主制御部２０が行う処理の処理プログラム等を格納するＲＯＭ（Ｒｅａｄ  Ｏｎｌｙ  Ｍｅｍｏｒｙ）、ハードディスク、不揮発性メモリ等の記憶装置を具備する。主制御部２０が後述する予約録画処理や録画開始処理を行う際の処理プログラムは、例えばＲＯＭに記憶されている。
【００１７】
外部メモリ接続部２４は、例えばＳＤ（Ｓｅｃｕｒｅ  Ｄｉｇｉｔａｌ）カード（登録商標）やＵＳＢ（Ｕｎｉｖｅｒｓａｌ  Ｓｅｒｉａｌ  Ｂｕｓ）メモリ等の外部メモリＭに対する入出力インタフェースを備え、外部メモリＭが携帯電話機１に電気的に接続された際に、この外部メモリＭに対してデータの書き込み処理や読み込み処理を行う。
【００１８】
音声制御部２５は、主制御部２０の制御に基づいて、マイクロフォン１６で集音した音声からアナログ音声信号を生成し、このアナログ音声信号をデジタル音声信号に変換する。また音声制御部２５は、デジタル音声信号を取得すると、主制御部２０の制御に基づいて、このデジタル音声信号をアナログ音声信号に変換し、スピーカ１４から音声として出力する。
【００１９】
通信制御部２６は、主制御部２０の制御に基づいて、アンテナ２６ａを介して受信した受信信号をスペクトラム逆拡散処理してデータを復元する。このデータは、主制御部２０の指示により、液晶ディスプレイ１３に表示されたり記憶部２３に記録されたりする。また通信制御部２６は、主制御部２０の制御に基づいて、操作キー１５を介して入力されたデータや記憶部２３に記憶されたデータに対してスペクトラム拡散処理を行い、アンテナ２６ａを介して送信する。
【００２０】
地デジ受信部２７は、チューナ２７ａ、復調部２７ｃ、ＴＳデコーダ２７ｄを備えている。チューナ２７ａは、地上波デジタル放送の放送局（図示せず）から放送された地上波デジタル放送（地上波デジタルワンセグ放送も含む）の変調波ａを、アンテナ２７ｂを介して受信する。復調部２７ｃは、チューナ２７ａが受信した変調波ａを取得して復調し、地上波デジタル放送の符号化映像情報ｂを生成する。ＴＳデコーダ２７ｄは、復調部２７ｃが生成した符号化映像情報ｂを取得して復号し、符号化映像情報ｂのうちの音声情報ｃを音声制御部２５へ伝送するとともに、符号化映像情報ｂのうちの動画像情報ｄを映像再生制御部２８に伝送する。音声情報ｃを受信した音声制御部２５は、この音声情報ｃをスピーカ１４から音声として出力する。動画像情報ｄを受信した映像再生制御部２８は、この動画像情報ｄを表示制御部２２を介して液晶ディスプレイ１３に表示する。
【００２１】
また、ＴＳデコーダ２７ｄは、主制御部２０の指示に基づいて、地上波デジタル放送の音声情報ｃや動画像情報ｄを、記憶部２３、または外部メモリ接続部２４に接続された外部メモリＭに記憶する。これが録画処理である。
【００２２】
映像再生制御部２８は、地デジ受信部２７により受信された地上波デジタル放送の動画像情報ｄや記憶部２３に記憶されている動画像情報ｄを取得すると、これらの動画像情報ｄを表示制御部２２を介して液晶ディスプレイ１３に表示する。
【００２３】
タイマー部２９は、主制御部２０の指示に基づいて、所定時間の経過を通知するタイマー処理を行う。タイマー部２９は、主制御部２０からタイマー開始指示を受信すると、このタイマー開始指示に基づいて所定時間（タイマー時間）の計時を開始し、所定時間が経過した際に、主制御部２０にタイマー終了通知を送信する。
【００２４】
携帯電話機１は、地デジ受信部２７により受信した地上波デジタル放送のテレビ番組を録画する録画機能を備えていて、また、テレビ番組の録画を予め指定された開始時刻に開始するとともに、予め指定された終了時刻に終了する予約録画機能を備えている。
【００２５】
記憶部２３は、予約録画を行うための録画予約情報を記憶する。録画予約情報は、録画の開始時刻を示す開始時刻情報、録画の終了時刻を示す終了時刻情報、録画するチャンネルを示すチャンネル情報、録画したテレビ番組の映像情報の保存先を示す保存先情報、録画したテレビ番組の番組名を示す番組名情報、録画したテレビ番組の放送局を示す放送局情報等がそれぞれ対応付けられた情報である。保存先情報には、例えば「本体」（記憶部２３）や「外部メモリ」（外部メモリＭ）等が記される。携帯電話機１において、この録画予約情報に基づいて録画処理が行われる。
【００２６】
一般的な携帯電話機は、録画予約情報を入力するための予約入力画面を表示して、ユーザがこの予約入力画面に基づいて録画予約情報を入力することにより、予約録画が設定される。そして、録画の開始時刻が現在時刻よりもある程度先（未来）でないと予約ができないようになっている。よって、予約録画を即座に開始できずに録画したいシーンを逃してしまう恐れがあった。また、録画の開始時刻と終了時刻の双方が設定されないと録画の予約が完了しないため、予約の設定に手間取ってしまうとその間の録画したいシーンを逃してしまう恐れもあった。
【００２７】
一方、予約録画を行わずに、ユーザが直接、録画を開始するための操作キー１５を押下することにより録画を開始させたり、録画を停止させるための操作キー１５を押下することにより録画を停止させたりする方法を用いることも可能ではあるが、この場合、録画を停止させるための操作キー１５が押下されない限りは録画が停止しないため、録画の終了時刻にユーザが録画を停止させるための操作キー１５を押下する必要が生じてしまう。
【００２８】
そこで携帯電話機１では、予約録画を行う際に、録画に最低限必要な項目である開始時刻およびチャンネルが入力された時点で即座に録画を開始するようにするとともに、録画が開始された後でも録画の終了時刻等の入力を受け付けるようにすることにより、録画が開始された後でも予約録画の設定を完了することができるようにする。
【００２９】
携帯電話機１がこの予約録画処理を行う際の手順について、図３、図５、図７、図８に示すフローチャートに基づいて説明する。なお、図５は、録画の開始時刻の入力に基づいた録画開始処理を示すフローチャート、図７は、録画するチャンネルの入力に基づいた録画開始処理を示すフローチャート、図８は、タイマーに基づいた録画開始処理を示すフローチャートである。以下、例えば「ステップＳ１０１」を「Ｓ１０１」のように、「ステップ」の語句を省略して説明する。
【００３０】
始めに、主制御部２０は液晶ディスプレイ１３に、ユーザが録画の予約入力を行うための予約入力画面３０を表示する。予約入力画面３０は、図４（Ａ）に示すように、予約録画の手動設定を行うための手動設定ボタン３１を備えている。ユーザは、予約録画の手動設定を行う際、操作キー１５を介して手動設定ボタン３１を選択することにより携帯電話機１に対して予約録画の手動設定を指示する。
【００３１】
図３に示すように、主制御部２０は、予約録画の手動設定が指示されたか否かを判断する（Ｓ１０１）。手動設定が指示されていない場合（Ｓ１０１のＮｏ）は、主制御部２０はそのまま待機する。手動設定が指示された場合（Ｓ１０１のＹｅｓ）は、主制御部２０は、録画予約情報を操作キー１５を介して手動で入力するための手動設定画面３２を表示する（Ｓ１０３）。手動設定画面３２は、図４（Ｂ）に示すように、録画の開始時刻を入力するための開始時刻入力欄３３、録画の終了時刻を入力するための終了時刻入力欄３４、録画するチャンネルを入力するためのチャンネル入力欄３５、録画する番組の保存先を入力するための保存先入力欄３６、録画する番組名を入力するための番組名入力欄３７、録画する番組の放送局名を入力するための放送局名入力欄３８を備えている。
【００３２】
主制御部２０は、タイマー部２９にタイマー開始指示を送信することにより、所定時間のタイマーを起動する（Ｓ１０５）。この際の所定時間は、予約録画を開始すべきか否かを判断するための時間間隔であり、例えば３秒である。
【００３３】
主制御部２０は、開始時刻が入力された際に録画の開始時刻の入力に基づいた録画開始処理を行う。図５に示すように、主制御部２０は録画の開始時刻が入力されたか否かを判断する（Ｓ２０１）。この際、手動設定画面３２の開始時刻入力欄３３に時刻を示す情報が入力されている場合、開始時刻が入力されたものと判断される。録画の開始時刻が入力されていない場合（Ｓ２０１のＮｏ）は、主制御部２０は録画の開始時刻が入力されるまで待機する。
【００３４】
録画の開始時刻が入力された場合（Ｓ２０１のＹｅｓ）は、主制御部２０は、録画するチャンネルが入力されているか否かを判断する（Ｓ２０３）。この際、手動設定画面３２のチャンネル入力欄３５にチャンネルを示す情報が入力されている場合、録画するチャンネルが入力されているものと判断される。録画するチャンネルが入力されていない場合（Ｓ２０３のＮｏ）は、チャンネルがわからず録画処理を行うことができないため、録画処理を開始せずに、録画の開始時刻の入力に基づいた録画開始処理を終了する。
【００３５】
録画するチャンネルが入力されている場合（Ｓ２０３のＹｅｓ）は、主制御部２０は現在時刻を取得する（Ｓ２０５）。そして主制御部２０は、ステップ２０１にて入力された録画の開始時刻がステップＳ２０５にて取得した現在時刻より以前か否かを判断する（Ｓ２０７）。例えば、録画の開始時刻が「２００８年１月１日１８時００分」であり、現在時刻が「２００８年１月１日１９時００分」であった場合は、録画の開始時刻が現在時刻より以前であるものと判断される。録画の開始時刻が現在時刻より以前ではなかった場合（Ｓ２０７のＮｏ）は、未だ録画開始時刻を経過していないため、録画処理を開始せずに、録画の開始時刻の入力に基づいた録画開始処理を終了する。
【００３６】
録画の開始時刻が現在時刻より以前であった場合（Ｓ２０７のＹｅｓ）は、主制御部２０は液晶ディスプレイ１３に、録画処理を開始するか否かを入力するための録画指示ダイアログ３９を表示する等により、ユーザに対して録画処理を開始するか否かの入力を促す（Ｓ２０９）。録画指示ダイアログ３９は、図６に示すように、録画処理を開始するための「ＹＥＳ」ボタン４０、録画処理を開始しないための「ＮＯ」ボタン４１を備えている。
【００３７】
主制御部２０は、録画処理が指示されたか否かを判断する（Ｓ２１１）。この際、録画指示ダイアログ３９の「ＹＥＳ」ボタン４０が選択された場合には録画処理が指示されたものと判断され、「ＮＯ」ボタン４１が選択された場合には録画処理が指示されなかったものと判断される。録画処理が指示されなかった場合（Ｓ２１１のＮｏ）は、主制御部２０は、録画処理を開始せずに、録画の開始時刻の入力に基づいた録画開始処理を終了する。
【００３８】
録画処理が指示された場合（Ｓ２１１のＹｅｓ）は、主制御部２０は、バックグラウンドで録画処理を開始する（Ｓ２１３）。すなわち主制御部２０は、ステップＳ１０３にて液晶ディスプレイ１３に表示した手動設定画面３２を表示したままの状態で、ステップＳ２０１にて入力された開始時刻、ステップＳ２０３にて入力されていたチャンネルに基づいて、録画処理を開始する。この際、ユーザは手動設定画面３２に基づいて、録画予約情報の入力を継続することができる。
【００３９】
あるいは、主制御部２０は、チャンネルが入力された際に録画するチャンネルの入力に基づいた録画開始処理を行う。図７に示すように、主制御部２０は録画するチャンネルが入力されたか否かを判断する（Ｓ３０１）。この際、手動設定画面３２のチャンネル入力欄３５にチャンネルを示す情報が入力されている場合、録画するチャンネルが入力されたものと判断される。録画するチャンネルが入力されていない場合（Ｓ３０１のＮｏ）は、主制御部２０は録画するチャンネルが入力されるまで待機する。
【００４０】
録画するチャンネルが入力された場合（Ｓ３０１のＹｅｓ）は、主制御部２０は、録画の開始時刻が入力されているか否かを判断する（Ｓ３０３）。この際、手動設定画面３２の開始時刻入力欄３３に時刻を示す情報が入力されている場合、録画の開始時刻が入力されているものと判断される。録画の開始時刻が入力されていない場合（Ｓ３０３のＮｏ）は、開始時刻がわからず録画処理を行うことができないため、録画処理を開始せずに、録画するチャンネルの入力に基づいた録画開始処理を終了する。
【００４１】
録画の開始時刻が入力されている場合（Ｓ３０３のＹｅｓ）は、主制御部２０は現在時刻を取得する（Ｓ３０５）。そして主制御部２０は、ステップＳ２０７と同様に、ステップ３０３にて入力されていた録画の開始時刻がステップＳ３０５にて取得した現在時刻より以前か否かを判断する（Ｓ３０７）。録画の開始時刻が現在時刻より以前ではなかった場合（Ｓ３０７のＮｏ）は、未だ録画開始時刻を経過していないため、録画処理を開始せずに、録画するチャンネルの入力に基づいた録画開始処理を終了する。
【００４２】
録画の開始時刻が現在時刻より以前であった場合（Ｓ３０７のＹｅｓ）は、主制御部２０は液晶ディスプレイ１３に、図６に示すように、録画処理を開始するか否かを入力するための録画指示ダイアログ３９を表示する等により、ユーザに対して録画処理を開始するか否かの入力を促す（Ｓ３０９）。
【００４３】
主制御部２０は、録画処理が指示されたか否かを判断する（Ｓ３１１）。この際、録画指示ダイアログ３９の「ＹＥＳ」ボタン４０が選択された場合には録画処理が指示されたものと判断され、「ＮＯ」ボタン４１が選択された場合には録画処理が指示されなかったものと判断される。録画処理が指示されなかった場合（Ｓ３１１のＮｏ）は、主制御部２０は、録画処理を開始せずに、録画するチャンネルの入力に基づいた録画開始処理を終了する。
【００４４】
録画処理が指示された場合（Ｓ３１１のＹｅｓ）は、主制御部２０は、ステップＳ２１３と同様に、バックグラウンドで録画処理を開始する（Ｓ３１３）。すなわち主制御部２０は、ステップＳ１０３にて液晶ディスプレイ１３に表示した手動設定画面３２を表示したままの状態で、ステップＳ３０３にて入力されていた開始時刻、ステップＳ３０１にて入力されたチャンネルに基づいて、録画処理を開始する。この際、ユーザは手動設定画面３２に基づいて、録画予約情報の入力を継続することができる。
【００４５】
次に、主制御部２０は、ステップＳ１０５にて起動したタイマーに基づいた録画開始処理を行う。この処理は、例えば開始時刻情報やチャンネル情報が入力された時点で、録画の開始時刻が現在時刻よりも以後であった場合に行われる。
【００４６】
図８に示すように、始めに主制御部２０は、ステップＳ１０５（または後述するステップＳ４０６）にて起動されたタイマーが終了したか否かを判断する（Ｓ４０１）。この際、主制御部２０は、タイマー部２９からタイマー終了通知を受信することに基づいて、タイマーが終了したものと判断する。タイマーが終了していない場合（Ｓ４０１のＮｏ）は、主制御部２０はタイマーが終了するまで待機する。
【００４７】
タイマーが終了した場合（Ｓ４０１のＹｅｓ）は、主制御部２０は、液晶ディスプレイ１３に表示されている手動設定画面３２に入力されている録画予約情報、または記憶部２３に既に記憶されている録画予約情報を取得する（Ｓ４０３）。
【００４８】
主制御部２０は、ステップＳ４０３にて取得した録画予約情報に基づいて、録画するチャンネルが入力されたか否かを判断する（Ｓ４０５）。この際、ステップＳ４０３にて手動設定画面３２に入力されている録画予約情報を取得した場合、手動設定画面３２のチャンネル入力欄３５にチャンネルを示す情報が入力されているときに、録画するチャンネルが入力されたものと判断される。またはステップＳ４０３にて記憶部２３から録画予約情報を取得した場合、録画予約情報がチャンネル情報を含んでいるときに、録画するチャンネルが入力されたものと判断される。
【００４９】
録画するチャンネルが入力されていない場合（Ｓ４０５のＮｏ）は、主制御部２０は、再びタイマーを起動する（Ｓ４０６）。すなわち、主制御部２０は、ステップＳ１０５と同様に、タイマー部２９にタイマー開始指示を送信することにより、所定時間（例えば３秒）のタイマーを起動する。そして主制御部２０は、チャンネルがわからず録画処理を行うことができないため、録画処理を開始せずに、ステップＳ４０１に戻ってタイマーが終了するまで待機する。
【００５０】
録画するチャンネルが入力された場合（Ｓ４０５のＹｅｓ）は、主制御部２０は、録画の開始時刻が入力されているか否かを判断する（Ｓ４０７）。この際、ステップＳ４０３にて手動設定画面３２に入力されている録画予約情報を取得した場合、手動設定画面３２の開始時刻入力欄３３に時刻を示す情報が入力されているときに、録画の開始時刻が入力されたものと判断される。またはステップＳ４０３にて記憶部２３から録画予約情報を取得した場合、録画予約情報が開始時刻情報を含んでいるときに、録画の開始時刻が入力されたものと判断される。
【００５１】
録画の開始時刻が入力されていない場合（Ｓ４０７のＮｏ）は、主制御部２０は、再びタイマーを起動する（Ｓ４０６）。すなわち、主制御部２０は、ステップＳ１０５と同様に、タイマー部２９にタイマー開始指示を送信することにより、所定時間（例えば３秒）のタイマーを起動する。そして主制御部２０は、開始時刻がわからず録画処理を行うことができないため、録画処理を開始せずに、ステップＳ４０１に戻ってタイマーが終了するまで待機する。
【００５２】
録画の開始時刻が入力されている場合（Ｓ４０７のＹｅｓ）は、主制御部２０は現在時刻を取得する（Ｓ４０９）。そして主制御部２０は、ステップＳ２０７と同様に、ステップ４０７にて入力されていた録画の開始時刻がステップＳ４０９にて取得した現在時刻より以前か否かを判断する（Ｓ４１１）。録画の開始時刻が現在時刻より以前ではなかった場合（Ｓ４１１のＮｏ）は、未だ録画開始時刻を経過していないため、録画処理を開始せずに、ステップＳ４０１に戻ってタイマーが終了するまで待機する。
【００５３】
録画の開始時刻が現在時刻より以前であった場合（Ｓ４１１のＹｅｓ）は、主制御部２０は液晶ディスプレイ１３に、図６に示すように、録画処理を開始するか否かを入力するための録画指示ダイアログ３９を表示する等により、ユーザに対して録画処理を開始するか否かの入力を促す（Ｓ４１３）。
【００５４】
主制御部２０は、録画処理が指示されたか否かを判断する（Ｓ４１５）。この際、録画指示ダイアログ３９の「ＹＥＳ」ボタン４０が選択された場合には録画処理が指示されたものと判断され、「ＮＯ」ボタン４１が選択された場合には録画処理が指示されなかったものと判断される。録画処理が指示されなかった場合（Ｓ４１５のＮｏ）は、主制御部２０は、録画開始処理を終了する。
【００５５】
なお、主制御部２０は、ステップＳ４１５において録画処理が指示されなかった場合に、タイマー時間を長く設定して（例えば１分）、タイマー部２９にタイマー開始指示を送信することにより、タイマーを起動するようにしても良い。この際には、主制御部２０は、ステップＳ４０１に戻ってタイマーが終了するまで待機する。
【００５６】
録画処理が指示された場合（Ｓ４１５のＹｅｓ）は、主制御部２０は、ステップＳ２１３と同様に、バックグラウンドで録画処理を開始する（Ｓ４１７）。すなわち主制御部２０は、ステップＳ４０３にて手動設定画面３２に入力されている録画予約情報を取得した場合は、液晶ディスプレイ１３に表示した手動設定画面３２を表示したままの状態で、ステップＳ４０７にて入力された開始時刻、ステップＳ４０５にて入力されたチャンネルに基づいて、録画処理を開始する。
【００５７】
なお、ステップＳ２０９及びＳ２１１、ステップＳ３０９及びＳ３１１、ステップＳ４１３及びＳ４１５のユーザに対して録画を開始するか否かの指示を促す処理を行わずに、バックグラウンドでの録画処理を開始するようにしても良い。
【００５８】
このようにして携帯電話機１は、手動設定で録画の開始時刻情報が入力された際に、チャンネル情報が入力済みか否かの判断を行い、チャンネル情報が入力済みであれば、録画の開始時刻と現在時刻との比較を行う。そして携帯電話機１は、録画の開始時刻が現在時刻より以前であれば、この録画処理を開始する。この際、携帯電話機１はバックグラウンドで録画処理を行い、液晶ディスプレイ１３の表示画面には手動設定画面３２を表示したままにする。これにより、ユーザは録画処理が開始された状態で、録画の終了時間情報等のその他の情報を入力することができる。
【００５９】
また、携帯電話機１は、手動設定でチャンネル情報が入力された際に、録画の開始時刻情報が入力済みか否かの判断を行い、開始時刻情報が入力済みであれば、録画の開始時刻と現在時刻との比較を行う。そして携帯電話機１は、録画の開始時刻が現在時刻より以前であれば、この録画処理を開始する。この際、携帯電話機１はバックグラウンドで録画処理を行い、液晶ディスプレイ１３の表示画面には手動設定画面３２を表示したままにする。これにより、ユーザは録画処理が開始された状態で、録画の終了時間等のその他の情報を入力することができる。
【００６０】
さらに、録画の開始時刻情報やチャンネル情報が入力された際に、録画の開始時刻が現在時刻よりも未来であれば、周期タイマーを用いて一定の間隔で、録画の開始時刻と現在時刻との比較を行う。そして携帯電話機１は、録画の開始時刻が現在時刻より以前となったときに、この録画処理を開始する。この際も同様に、携帯電話機１はバックグラウンドで録画処理を行い、液晶ディスプレイ１３に手動設定画面３２が表示されていたなら、この手動設定画面３２の表示を継続する。
【００６１】
本発明に係る電子機器（携帯電話機１）によると、既に放送中のテレビ番組、あるいはまもなく放送開始となるテレビ番組について予約録画処理を行う際、予約設定完了前であっても、予約録画開始にあたって最低限必要な情報（開始時刻情報やチャンネル情報）が入力された時点で録画処理をバックグラウンドで開始しておくことにより、簡単な操作で瞬時に録画処理を開始することが可能となる
また、本発明に係る電子機器（携帯電話機１）によると、録画処理を開始した後でも録画の終了時刻等の録画予約情報の入力を受け付けるため、ユーザは、録画の開始時刻が経過した後に予約録画の設定を行った場合であっても、録画処理を瞬時に開始させるとともに、所望の時刻に、録画処理を停止されるための操作を行わなくとも、予約録画機能により録画処理を停止させることが可能となる。
【００６２】
本発明の説明として、携帯電話機１について説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、携帯型テレビ、携帯型ゲーム機、携帯型音楽プレイヤー、ＰＣ（Ｐｅｒｓｏｎａｌ  Ｃｏｍｐｕｔｅｒ）等の予約録画処理を行う情報処理端末であれば任意の情報処理端末であって良い。
【図面の簡単な説明】
【００６３】
【図１】本発明に係る電子機器（携帯電話機）を示す斜視図。
【図２】本発明に係る電子機器（携帯電話機）を示す機能ブロック図。
【図３】本発明に係る電子機器（携帯電話機）が予約録画処理を行う際の手順を示すフローチャート。
【図４】（Ａ）は、予約入力画面を示す画面図、（Ｂ）は、手動設定画面を示す画面図。
【図５】本発明に係る電子機器（携帯電話機）が録画の開始時刻の入力に基づいた録画開始処理を行う際の手順を示すフローチャート。
【図６】録画指示ダイアログを示す画面図。
【図７】本発明に係る電子機器（携帯電話機）が録画のチャンネルの入力に基づいた録画開始処理を行う際の手順を示すフローチャート。
【図８】本発明に係る電子機器（携帯電話機）が録画のタイマーに基づいた録画開始処理を行う際の手順を示すフローチャート。
【符号の説明】
【００６４】
１…携帯電話機，１０…上筐体，１１…下筐体，１２…ヒンジ部，１３…液晶ディスプレイ，１４…スピーカ，１５…操作キー，１６…マイクロフォン，２０…主制御部，２１…電源回路部，２２…表示制御部，２３…記憶部，２４…外部メモリ接続部，２５…音声制御部，２６…通信制御部，２６ａ…アンテナ，２７…地デジ受信部，２７ａ…チューナ，２７ｂ…アンテナ，２７ｃ…復調部，２７ｄ…ＴＳデコーダ，２８…映像再生制御部，２９…タイマー部，３０…予約入力画面，３２…手動設定画面，３３…開始時刻入力欄，３５…チャンネル入力欄，３９…録画指示ダイアログ，ａ…変調波，ｂ…符号化映像情報，ｃ…音声情報，ｄ…動画像情報。
【図１】
0004946852.tif 000002
【図２】
0004946852.tif 000003
【図３】
0004946852.tif 000004
【図４】
0004946852.tif 000005
【図５】
0004946852.tif 000006
【図６】
0004946852.tif 000007
【図７】
0004946852.tif 000008
【図８】
0004946852.tif 000009